(57)【要約】【課題】乗車意思のある利用者を広範囲に正確に検知してドアの開閉制御に反映させる。【解決手段】一実施形態に係るエレベータの乗車検知システムは、撮像手段、動き検知手段、位置推定手段、速さ算出手段、乗車意思推定手段及び制御手段を備えている。位置推定手段は、動き検知手段によって検知された動きありのブロックの中からドアに最も近いブロックを画像毎に抽出し、当該ブロックにおけるドアの中心から乗場方向の座標位置を利用者の位置として推定する。速さ算出手段は、推定された利用者の位置の時系列変化に基づいて当該利用者のドア方向への移動の速さを算出する。乗車意思推定手段は、推定された利用者の位置の時系列変化と、算出された利用者のドア方向への移動の速さとに基づいて利用者の乗車意思の有無を推定する。制御手段は、推定結果に基づいてドアの開閉動作を制御する。【選択図】図１
2017124899.tif 000002
【特許請求の範囲】
【請求項１】
乗りかごが乗場に到着したときに、当該乗りかごのドア付近から上記乗場の方向に向けて所定の範囲を撮影可能な撮像手段と、
この撮像手段によって撮影された時系列的に連続した複数枚の画像の輝度をブロック単位で比較して人・物の動きを検知する動き検知手段と、
この動き検知手段によって検知された動きありのブロックの中から上記ドアに最も近いブロックを上記画像毎に抽出し、当該ブロックにおける上記ドアの中心から上記乗場方向の座標位置を利用者の位置として推定する位置推定手段と、
この位置推定手段によって推定された利用者の位置の時系列変化に基づいて当該利用者のドア方向への移動の速さを算出する速さ算出手段と、
上記位置推定手段によって推定された利用者の位置の時系列変化と、上記速さ算出手段によって算出された利用者のドア方向への移動の速さとに基づいて利用者の乗車意思の有無を推定する乗車意思推定手段と、
この乗車意思推定手段の推定結果に基づいて上記ドアの開閉動作を制御する制御手段と
を具備することを特徴とするエレベータの乗車検知システム。
【請求項２】
上記速さ算出手段は、
所定のサンプリング期間内における上記推定された利用者の位置の時系列変化に基づいて当該利用者のドア方向への移動の速さを算出することを特徴とする請求項１に記載のエレベータの乗車検知システム。
【請求項３】
上記位置推定手段は、
上記ドアに最も近い動きのありのブロックにおける上記ドアの中心から上記乗場方向の座標位置を人物の足元位置として推定し、
上記乗車意思推定手段は、
上記利用者の足元位置が予め設定されたエリア内で上記ドアに近づいている状態が検知された場合であり、かつ上記利用者のドア方向への移動の速さが予め設定された閾値以上であった場合に乗車意思ありと判定することを特徴とする請求項１に記載のエレベータの乗車検知システム。
【請求項４】
上記閾値は、
標準的な歩行の速さと同程度の速さまたは標準的な歩行の速さよりも少し遅い速さであることを特徴とする請求項３に記載のエレベータの乗車検知システム。
【請求項５】
上記閾値は、
上記位置推定手段によって推定された利用者の現在の足元位置に基づいて段階的に変更されることを特徴とする請求項３に記載のエレベータの乗車検知システム。
【請求項６】
上記閾値は、
上記位置推定手段によって推定された利用者の現在の足元位置が上記ドアから近いほど小さく、上記ドアから遠いほど大きくなるように変更されることを特徴とする請求項５に記載のエレベータの乗車検知システム。
【請求項７】
上記撮像手段は、
上記乗りかごの出入口上部に設置され、
上記ドアと水平の方向をＸ軸、上記ドアの中心から上記乗場の方向をＹ軸、上記乗りかごの高さ方向をＺ軸とした画像を撮影することを特徴とする請求項１記載のエレベータの乗車検知システム。
【発明の詳細な説明】
【技術分野】
【０００１】
本発明の実施形態は、乗りかごに乗車する利用者を検知するエレベータの乗車検知システムに関する。
【背景技術】
【０００２】
通常、エレベータの乗りかごが乗場に到着して戸開すると、所定時間経過後に戸閉して出発する。その際、エレベータの利用者は乗りかごがいつ戸閉するのか分からないため、乗場から乗りかごに乗車するときに戸閉途中のドアにぶつかることがある。
【０００３】
このような乗車時のドアとの衝突を回避するため、乗りかごに乗車する利用者をセンサで検知してドアの開閉動作を制御することが考えられている。上記センサとしては一般的に光電センサが用いられる。すなわち、乗りかごの上部に光電センサを設置しておき、乗りかごに乗車する利用者を光学的に検知する。利用者が検知されている間は、ドアの戸開状態が維持されるので、利用者が戸閉途中のドアにぶつかることを回避でき、また、ドアの戸袋に引き込まれることを防止できる。
【先行技術文献】
【特許文献】
【０００４】
【特許文献１】特許第５２０１８２６号公報
【発明の概要】
【発明が解決しようとする課題】
【０００５】
しかしながら、光電センサの検知範囲は狭く、ピンポイントでしか利用者を検知できない。このため、乗りかごから少し離れた場所に利用者がいると、それを検知できずに戸閉を開始してしまうことや、逆に乗りかごの近くを通り過ぎただけの人物を誤検知してドアを開いてしまうことがある。
【０００６】
本発明が解決しようとする課題は、乗車意思のある利用者を広範囲に正確に検知してドアの開閉制御に反映させることのできるエレベータの乗車検知システムを提供することである。
【課題を解決するための手段】
【０００７】
一実施形態に係るエレベータの乗車検知システムは、撮像手段、動き検知手段、位置推定手段、速さ算出手段、乗車意思推定手段及び制御手段を備えている。上記撮像手段は、乗りかごが乗場に到着したときに、当該乗りかごのドア付近から上記乗場の方向に向けて所定の範囲を撮影可能である。上記動き検知手段は、この撮像手段によって撮影された時系列的に連続した複数枚の画像の輝度をブロック単位で比較して人・物の動きを検知する。上記位置推定手段は、この動き検知手段によって検知された動きありのブロックの中から上記ドアに最も近いブロックを上記画像毎に抽出し、当該ブロックにおける上記ドアの中心から上記乗場方向の座標位置を利用者の位置として推定する。上記速さ算出手段は、この位置推定手段によって推定された利用者の位置の時系列変化に基づいて当該利用者のドア方向への移動の速さを算出する。上記乗車意思推定手段は、上記位置推定手段によって推定された利用者の位置の時系列変化と、上記速さ算出手段によって算出された利用者のドア方向への移動の速さとに基づいて利用者の乗車意思の有無を推定する。上記制御手段は、この乗車意思推定手段の推定結果に基づいて上記ドアの開閉動作を制御する。
【図面の簡単な説明】
【０００８】
【図１】図１は一実施形態に係るエレベータの乗車検知システムの構成を示す図である。
【図２】図２は同実施形態におけるカメラによって撮影された画像の一例を示す図である。
【図３】図３は同実施形態における撮影画像をブロック単位で区切った状態を示す図である。
【図４】図４は同実施形態における実空間での検知エリアを説明するための図である。
【図５】図５は同実施形態における実空間での座標系を説明するための図である。
【図６】図６は同実施形態における画像比較による動き検知を説明するための図であり、時間ｔで撮影された画像の一部を模式的に示す図である。
【図７】図７は同実施形態における画像比較による動き検知を説明するための図であり、時間ｔ＋１で撮影された画像の一部を模式的に示す図である。
【図８】図８は同実施形態における乗車検知システムの全体の処理の流れを示すフローチャートである。
【図９】図９は同実施形態における乗車検知システムの動き検知処理を示すフローチャートである。
【図１０】図１０は同実施形態における乗車検知システムの位置推定処理を示すフローチャートである。
【図１１】図１１は同実施形態における乗車検知システムの乗車意思推定処理を示すフローチャートである。
【図１２】図１２は同実施形態における乗車意思ありの足元位置の変化状態を示す図である。
【図１３】図１３は同実施形態における乗車意思なしの足元位置の変化状態を示す図である。
【図１４】図１４は同実施形態における乗車検知システムによる乗りかごの戸閉中の処理動作を示すフローチャートである。
【図１５】図１５は同実施形態における乗車検知システムの別の乗車意思推定処理を示すフローチャートである。
【図１６】図１６は他の実施形態におけるエレベータの乗車検知システムの構成を示す図である。
【図１７】図１７は他の実施形態における乗車検知システムの乗車意思推定処理を示すフローチャートである。
【図１８】図１８は他の実施形態における段階的に変化する閾値を説明するための図である。
【発明を実施するための形態】
【０００９】
以下、図面を参照して実施形態を説明する。  
図１は一実施形態に係るエレベータの乗車検知システムの構成を示す図である。なお、ここでは、１台の乗りかごを例にして説明するが、複数台の乗りかごでも同様の構成である。
【００１０】
乗りかご１１の出入口上部にカメラ１２が設置されている。具体的には、乗りかご１１の出入口上部を覆う幕板１１ａの中にカメラ１２のレンズ部分を乗場１５側に向けて設置されている。カメラ１２は、例えば車載カメラなどの小型の監視用カメラであり、広角レンズを有し、１秒間に数コマ（例えば３０コマ／秒）の画像を連続撮影可能である。乗りかご１１が各階に到着して戸開したときに、乗場１５の状態を乗りかご１１内のかごドア１３付近の状態を含めて撮影する。
【００１１】
このときの撮影範囲はＬ１＋Ｌ２に調整されている（Ｌ１≫Ｌ２）。Ｌ１は乗場側の撮影範囲であり、かごドア１３から乗場１５に向けて例えば３ｍである。Ｌ２はかご側の撮影範囲であり、かごドア１３からかご背面に向けて例えば５０ｃｍである。なお、Ｌ１，Ｌ２は奥行き方向の範囲であり、幅方向（奥行き方向と直交する方向）の範囲については少なくとも乗りかご１１の横幅より大きいものとする。
【００１２】
なお、各階の乗場１５において、乗りかご１１の到着口には乗場ドア１４が開閉自在に設置されている。乗場ドア１４は、乗りかご１１の到着時にかごドア１３に係合して開閉動作する。動力源（ドアモータ）は乗りかご１１側にあり、乗場ドア１４はかごドア１３に追従して開閉するだけである。以下の説明において、かごドア１３を戸開しているときには乗場ドア１４も戸開しており、かごドア１３を戸閉しているときには乗場ドア１４も戸閉しているものとする。
【００１３】
カメラ１２によって撮影された各画像（映像）は、画像処理装置２０によってリアルタイムに解析処理される。なお、図１では、便宜的に画像処理装置２０を乗りかご１１から取り出して示しているが、実際には画像処理装置２０はカメラ１２と共に幕板１１ａの中に収納されている。
【００１４】
ここで、画像処理装置２０には、記憶部２１と利用者検知部２２が備えられている。記憶部２１は、カメラ１２によって撮影された画像を逐次保存すると共に、利用者検知部２２の処理に必要なデータを一時的に保持しておくためのバッファエリアを有する。利用者検知部２２は、カメラ１２によって撮影された時系列的に連続した複数枚の画像の中でかごドア１３に最も近い人・物の動きに着目して乗車意思のある利用者の有無を検知する。この利用者検知部２２を機能的に分けると、動き検知部２２ａ、位置推定部２２ｂ、乗車意思推定部２２ｃで構成される。
【００１５】
動き検知部２２ａは、各画像の輝度をブロック単位で比較して人・物の動きを検知する。ここで言う「人・物の動き」とは、乗場１５の人物や車椅子等の移動体の動きのことである。
【００１６】
位置推定部２２ｂは、動き検知部２２ａによって各画像毎に検知された動きありのブロックの中からかごドア１３に最も近いブロックを抽出し、当該ブロックにおけるかごドア１３の中心（ドア間口の中心）から乗場方向の座標位置（図５に示すＹ座標）を利用者の位置（足元位置）として推定する。乗車意思推定部２２ｃは、位置推定部２２ｂによって推定された位置の時系列変化に基づいて当該利用者の乗車意思の有無を判定する。
【００１７】
なお、これらの機能（動き検知部２２ａ、位置推定部２２ｂ、乗車意思推定部２２ｃ）はカメラ１２に設けられていても良いし、かご制御装置３０に設けられていても良い。
【００１８】
かご制御装置３０は、図示せぬエレベータ制御装置に接続され、このエレベータ制御装置との間で乗場呼びやかご呼びなどの各種信号を送受信する。なお、「乗場呼び」とは、各階の乗場１５に設置された図示せぬ乗場呼び釦の操作により登録される呼びの信号のことであり、登録階と行先方向の情報を含む。「かご呼び」とは、乗りかご１１のかご室内に設けられた図示せぬ行先呼び釦の操作により登録される呼びの信号のことであり、行き先階の情報を含む。
【００１９】
また、かご制御装置３０は、戸開閉制御部３１を備える。戸開閉制御部３１は、乗りかご１１が乗場１５に到着したときのかごドア１３の戸開閉を制御する。詳しくは、戸開閉制御部３１は、乗りかご１１が乗場１５に到着したときにかごドア１３を戸開し、所定時間経過後に戸閉する。ただし、かごドア１３の戸開中に画像処理装置２０の利用者検知部２２によって乗車意思のある人物が検知された場合には、戸開閉制御部３１は、かごドア１３の戸閉動作を禁止して戸開状態を維持する。
【００２０】
次に、図２乃至図７を参照して本実施形態における乗車意思検知方法について説明する。
【００２１】
図２はカメラ１２によって撮影された画像の一例を示す図である。図中のＥ１は位置推定エリア、ｙｎは利用者の足元位置が検知されたＹ座標を表している。図３は撮影画像をブロック単位で区切った状態を示す図である。なお、原画像を一辺Ｗblockの格子状に区切ったものを「ブロック」と呼ぶ。
【００２２】
カメラ１２は乗りかご１１の出入口上部に設置されている。したがって、乗りかご１１が乗場１５で戸開したときに、乗場側の所定範囲（Ｌ１）とかご内の所定範囲（Ｌ２）が撮影される。ここで、カメラ１２を利用すると検知範囲が広がり、乗りかご１１から少し離れた場所にいる利用者でも検知することができる。しかし、その一方で、乗りかご１１に乗車しない人物を誤検知して、かごドア１３を開いてしまう可能性がある。
【００２３】
そこで、本システムでは、図３に示すように、カメラ１２で撮影した画像を一定サイズのブロックに区切り、人・物の動きがあるブロックを検知し、その動きありのブロックを追うことで乗車意思のある利用者であるか否かを判断する構成としている。
【００２４】
なお、図３の例では、ブロックの縦横の長さが同じであるが、縦と横の長さが異なっていても良い。また、画像全域にわたってブロックを均一な大きさとしても良いし、例えば画像上部ほど縦（Ｙ軸方向）の長さを短くするなどの不均一な大きさにしても良い。これらにより、後に推定する足元位置をより高い分解能もしくは実空間での均一な分解能で求めることができる（画像上で均一に区切ると、実空間ではかごドア１３から遠い方ほど疎な分解能となる）。
【００２５】
図４は実空間での検知エリアを説明するための図である。図５は実空間での座標系を説明するための図である。
【００２６】
撮影画像から乗車意思のある利用者の動きを検知するため、まず、ブロック毎に動き検知エリアを設定しておく。具体的には、図４に示すように、少なくとも位置推定エリアＥ１と乗車意思推定エリアＥ２を設定しておく。位置推定エリアＥ１は、乗場１５からかごドア１３に向かってくる利用者の身体の一部、具体的には利用者の足元位置を推定するエリアである。乗車意思推定エリアＥ２は、位置推定エリアＥ１で検知された利用者に乗車意思があるか否かを推定するエリアである。なお、乗車意思推定エリアＥ２は、上記位置推定エリアＥ１に含まれ、利用者の足元位置を推定するエリアでもある。すなわち、乗車意思推定エリアＥ２では、利用者の足元位置を推定すると共に当該利用者の乗車意思を推定する。
【００２７】
実空間において、位置推定エリアＥ１はかごドア１３の中心から乗場方向に向かってＬ３の距離を有し、例えば２ｍに設定されている（Ｌ３≦乗場側の撮影範囲Ｌ１）。位置推定エリアＥ１の横幅Ｗ１は、かごドア１３の横幅Ｗ０以上の距離に設定されている。乗車意思推定エリアＥ２はかごドア１３の中心から乗場方向に向かってＬ４の距離を有し、例えば１ｍに設定されている（Ｌ４≦Ｌ３）。乗車意思推定エリアＥ２の横幅Ｗ２は、かごドア１３の横幅Ｗ０と略同じ距離に設定されている。
【００２８】
なお、乗車意思推定エリアＥ２の横幅Ｗ２はＷ０よりも横幅が大きくても良い。また、乗車意思推定エリアＥ２は実空間で長方形ではなく、三方枠の死角を除く台形であっても良い。
【００２９】
ここで、図５に示すように、カメラ１２は、乗りかご１１の出入口に設けられたかごドア１３と水平の方向をＸ軸、かごドア１３の中心から乗場１５の方向（かごドア１３に対して垂直の方向）をＹ軸、乗りかご１１の高さ方向をＺ軸とした画像を撮影する。このカメラ１２によって撮影された各画像において、図４に示した位置推定エリアＥ１および乗車意思推定エリアＥ２の部分をブロック単位で比較することで、かごドア１３の中心から乗場１５の方向、つまりＹ軸方向に移動中の利用者の足元位置の動きを検知する。
【００３０】
この様子を図６および図７に示す。  
図６および図７は画像比較による動き検知を説明するための図である。図６は時間ｔで撮影された画像の一部、図７は時間ｔ＋１で撮影された画像の一部を模式的に示している。
【００３１】
図中のＰ１，Ｐ２は撮影画像上で動きありとして検知された利用者の画像部分であり、実際には画像比較により動きありとして検知されたブロックの集合体である。画像部分Ｐ１，Ｐ２の中でかごドア１３に最も近い動きありのブロックＢｘを抽出し、そのブロックＢｘのＹ座標を追うことで乗車意思の有無を判定する。この場合、Ｙ軸方向に点線で示すような等距離線（かごドア１３と平行な等間隔の水平線）を引けば、ブロックＢｘとかごドア１３とのＹ軸方向の距離が分かる。
【００３２】
図６および図７の例では、かごドア１３に最も近い動きありのブロックＢｘの検知位置がｙｎ→ｙｎ−１に変化しており、利用者がかごドア１３に近づいてくることがわかる。
【００３３】
次に、本システムの動作について詳しく説明する。  
図８は本システムにおける全体の処理の流れを示すフローチャートである。  
乗りかご１１が任意の階の乗場１５に到着すると（ステップＳ１１のＹｅｓ）、かご制御装置３０は、かごドア１３を戸開して乗りかご１１に乗車する利用者を待つ（ステップＳ１２）。
【００３４】
このとき、乗りかご１１の出入口上部に設置されたカメラ１２によって乗場側の所定範囲（Ｌ１）とかご内の所定範囲（Ｌ２）が所定のフレームレート（例えば３０コマ／秒）で撮影される。画像処理装置２０は、カメラ１２で撮影された画像を時系列で取得し、これらの画像を記憶部２１に逐次保存しながら（ステップＳ１３）、以下のような利用者検知処理をリアルタイムで実行する（ステップＳ１４）。
【００３５】
利用者検知処理は、画像処理装置２０に備えられた利用者検知部２２によって実行される。この利用者検知処理は、動き検知処理（ステップＳ１４ａ）、位置推定処理（ステップＳ１４ｂ）、乗車意思推定処理（ステップＳ１４ｃ）に分けられる。
【００３６】
（ａ）動き検知処理
図９は上記ステップＳ１４ａの動き検知処理を示すフローチャートである。この動き検知処理は、上記利用者検知部２２の構成要素の１つである動き検知部２２ａで実行される。
【００３７】
動き検知部２２ａは、記憶部２１に保持された各画像を１枚ずつ読み出し、ブロック毎に平均輝度値を算出する（ステップＡ１１）。その際、動き検知部２２ａは、初期値として最初の画像が入力されたときに算出されたブロック毎の平均輝度値を記憶部２１内の図示せぬ第１のバッファエリアに保持しておくものとする（ステップＡ１２）。
【００３８】
２枚目以降の画像が得られると、動き検知部２２ａは、現在の画像のブロック毎の平均輝度値と上記第１のバッファエリアに保持された１つ前の画像のブロック毎の平均輝度値とを比較する（ステップＡ１３）。その結果、現在の画像の中で予め設定された値以上の輝度差を有するブロックが存在した場合には、動き検知部２２ａは、当該ブロックを動きありのブロックとして判定する（ステップＡ１４）。
【００３９】
現在の画像に対する動きの有無を判定すると、動き検知部２２ａは、当該画像のブロック毎の平均輝度値を次の画像との比較用として上記第１のバッファエリアに保持する（ステップＡ１５）。
【００４０】
以後同様にして、動き検知部２２ａは、カメラ１２によって撮影された各画像の輝度値を時系列順にブロック単位で比較しながら動きの有無を判定することを繰り返す。
【００４１】
（ｂ）位置推定処理
図１０は上記ステップＳ１４ｂの位置推定処理を示すフローチャートである。この位置推定処理は、上記利用者検知部２２の構成要素の１つである位置推定部２２ｂで実行される。
【００４２】
位置推定部２２ｂは、動き検知部２２ａの検知結果に基づいて現在の画像の中で動きありのブロックをチェックする（ステップＢ１１）。その結果、図４に示した位置推定エリアＥ１内に動きありのブロックが存在した場合、利用者検知部２２は、その動きありのブロックのうち、かごドア１３に最も近いブロックを抽出する（ステップＢ１２）。
【００４３】
ここで、図１に示したように、カメラ１２は乗りかご１１の出入口上部に乗場１５に向けて設置されている。したがって、利用者が乗場１５からかごドア１３に向かっていた場合には、その利用者の右または左の足元の部分が撮影画像の一番手前つまりかごドア１３側のブロックに映っている可能性が高い。そこで、位置推定部２２ｂは、かごドア１３に最も近い動きありのブロックのＹ座標（かごドア１３の中心から乗場１５方向の座標）を利用者の足元位置のデータとして求め、記憶部２１内の図示せぬ第２のバッファエリアに保持する（ステップＢ１３）。
【００４４】
以後同様にして、位置推定部２２ｂは、各画像毎にかごドア１３に最も近い動きありのブロックのＹ座標を利用者の足元位置のデータとして求め、上記第２のバッファエリアに保持していく。なお、このような足元位置の推定処理は、位置推定エリアＥ１内だけでなく、乗車意思推定エリアＥ２内でも同様に行われている。
【００４５】
（ｃ）乗車意思推定処理
図１１は上記ステップＳ１４ｃの乗車意思推定処理を示すフローチャートである。この乗車意思推定処理は、上記利用者検知部２２の構成要素の１つである乗車意思推定部２２ｃで実行される。
【００４６】
乗車意思推定部２２ｃは、上記第２のバッファエリアに保持された各画像の利用者の足元位置のデータを平滑化する（ステップＣ１１）。なお、平滑化の方法としては、例えば平均値フィルタやカルマンフィルタなどの一般的に知られている方法を用いるものとし、ここではその詳しい説明を省略する。
【００４７】
足元位置のデータを平滑化したとき、変化量が所定値以上のデータが存在した場合（ステップＣ１２のＹｅｓ）、乗車意思推定部２２ｃは、そのデータを外れ値として除外する（ステップＣ１３）。なお、上記所定値は、利用者の標準的な歩行速度と撮影画像のフレームレートによって決められている。また、足元位置のデータを平滑化する前に外れ値を見つけて除外しておくことでも良い。
【００４８】
図１２に足元位置の変化状態を示す。横軸が時間、縦軸が位置（Ｙ座標値）を示している。利用者が乗場１５からかごドア１３に向かって歩いてくる場合、時間経過に伴い、利用者の足元位置のＹ座標値が徐々に小さくなる。
【００４９】
なお、例えば車椅子等の移動体であれば点線で示すような直線的なデータ変化になるが、利用者の場合には左右の足元が交互に検知されるので、実線のように湾曲したデータ変化になる。また、検知結果に何らかのノイズが入り込むと、瞬間的な足元位置の変化量が大きくなる。このような変化量の大きい足元位置のデータは外れ値として除外しておく。
【００５０】
ここで、乗車意思推定部２２ｃは、図２に示した乗車意思推定エリアＥ２内の足元位置の動き（データ変化）を確認する（ステップＣ１４）。その結果、乗車意思推定エリアＥ２内でＹ軸方向へかごドア１３に向かっている利用者の足元位置の動き（データ変化）を確認できた場合には（ステップＣ１５のＹｅｓ）、乗車意思推定部２２ｃは、当該利用者に乗車意思ありと判断する（ステップＣ１６）。
【００５１】
一方、乗車意思推定エリアＥ２内でＹ軸方向にかごドア１３に向かっている利用者の足元位置の動きを確認できなかった場合には（ステップＣ１５のＮｏ）、乗車意思推定部２２ｃは、当該利用者に乗車意思なしと判断する（ステップＣ１７）。例えば、乗りかご１１の正面を人物がＸ軸方向に横切ると、図１３に示すように乗車意思推定エリアＥ２内でＹ軸方向に時間的に変化しない足元位置が検知される。このような場合には乗車意思なしと判断される。
【００５２】
このように、かごドア１３に最も近い動きありのブロックを利用者の足元位置とみなし、その足元位置のＹ軸方向の時間的な変化を追跡することで利用者の乗車意思の有無を推定することができる。
【００５３】
図８に戻って、乗車意思ありの利用者が検知されると（ステップＳ１５のＹｅｓ）、画像処理装置２０からかご制御装置３０に対して利用者検知信号が出力される。かご制御装置３０は、この利用者検知信号を受信することによりかごドア１３の戸閉動作を禁止して戸開状態を維持する（ステップＳ１６）。
【００５４】
詳しくは、かごドア１３が全戸開状態になると、かご制御装置３０は戸開時間のカウント動作を開始し、所定の時間Ｔ（例えば１分）分をカウントした時点で戸閉を行う。この間に乗車意思ありの利用者が検知され、利用者検知信号が送られてくると、かご制御装置３０はカウント動作を停止してカウント値をクリアする。これにより、上記時間Ｔの間、かごドア１３の戸開状態が維持されることになる。
【００５５】
なお、この間に新たな乗車意思ありの利用者が検知されると、再度カウント値がクリアされ、上記時間Ｔの間、かごドア１３の戸開状態が維持されることになる。ただし、上記時間Ｔの間に何度も利用者が来てしまうと、かごドア１３をいつまでも戸閉できない状況が続いてしまうので、許容時間Ｔｘ（例えば３分）を設けておき、この許容時間Ｔｘを経過した場合にかごドア１３を強制的に戸閉することが好ましい。
【００５６】
上記時間Ｔ分のカウント動作が終了すると（ステップＳ１７）、かご制御装置３０はかごドア１３を戸閉し、乗りかご１１を目的階に向けて出発させる（ステップＳ１８）。
【００５７】
このように本実施形態によれば、乗りかご１１の出入口上部に設置したカメラ１２によって乗場１５を撮影した画像を解析することにより、例えば乗りかご１１から少し離れた場所からかごドア１３に向かって来る利用者を検知して戸開閉動作に反映させることができる。
【００５８】
特に、撮影画像の中で利用者の足元位置に注視し、かごドア１３から乗場１５に向かう方向（Ｙ軸方向）の足元位置の時間的変化を追うことで、例えば乗りかごの近くを通り過ぎただけの人物を誤検知することを防ぎ、乗車意思のある利用者だけを正しく検知して戸開閉動作に反映させることができる。この場合、乗車意思のある利用者が検知されている間は戸閉状態が維持されるので、利用者が乗りかご１１に乗ろうとしたときに戸閉動作が開始されてドアにぶつかってしまうような事態を回避できる。
【００５９】
また、上記実施形態では乗場１５で乗りかご１１のかごドア１３が戸開している状態を想定して説明したが、かごドア１３が戸閉中であっても、カメラ１２によって撮影された画像を用いて乗車意思のある利用者の有無が検知される。乗車意思のある利用者が検知されると、かご制御装置３０の戸開閉制御部３１によってかごドア１３の戸閉動作が中断され、再度戸開動作が行われる。
【００６０】
以下に、図１４のフローチャートを参照して、戸閉中の処理動作について説明する。  
乗りかご１１のかごドア１３が全戸開の状態から所定の時間が経過すると、戸開閉制御部３１によって戸閉動作が開始される（ステップＳ２１）。このとき、カメラ１２の撮影動作は継続的に行われている。上記画像処理装置２０は、このカメラ１２によって撮影された画像を時系列で取得し、これらの画像を記憶部２１に逐次保存しながら（ステップＳ２２）、利用者検知処理をリアルタイムで実行する（ステップＳ２３）。
【００６１】
利用者検知処理は、画像処理装置２０に備えられた利用者検知部２２によって実行される。この利用者検知処理は、動き検知処理（ステップＳ２３ａ）、位置推定処理（ステップＳ２３ｂ）、乗車意思推定処理（ステップＳ２３ｃ）に分けられる。なお、これらの処理は、図８のステップＳ１４ａ，Ｓ１４ｂ，Ｓ１４ｃと同様であるため、その詳しい説明は省略する。
【００６２】
ここで、乗車意思ありの利用者が検知されると（ステップＳ２４のＹｅｓ）、画像処理装置２０からかご制御装置３０に対して利用者検知信号が出力される。かご制御装置３０は、戸閉中に上記利用者検知信号を受信すると、かごドア１３の戸閉動作を中断して再度戸開動作（リオープン）を行う（ステップＳ２５）。
【００６３】
以降は、図８のステップＳ１２に戻って上記同様の処理が繰り返される。ただし、戸閉中に乗車意思のある利用者が続けて検知されると、リオープンが繰り返され、乗りかご１１の出発が遅れてしまう。したがって、乗車意思のある利用者を検知した場合でも、上述した許容時間Ｔｘ（例えば３分）が経過していれば、リオープンしないで戸閉することが好ましい。
【００６４】
このように、戸閉中であっても乗車意思のある利用者の有無が検知され、当該検知結果を戸開閉動作に反映させることができる。したがって、利用者が戸閉途中の乗りかご１１に乗ろうとしたときにドアにぶつかってしまうような事態を回避できる。
【００６５】
なお、乗車意思推定部２２ｃは、利用者の乗車意思の有無をより正確に判断するために、利用者のドア方向への歩行の速さ（移動体のドア方向への移動の速さ）を考慮した乗車意思推定処理を実行しても良い。以下では、図１５のフローチャートを参照して、利用者の歩行の速さを考慮した乗車意思推定処理について説明する。なお、上述した図１１の乗車意思推定処理と同様な処理については同一の符号を付し、ここではその詳しい説明は省略するものとする。
【００６６】
ステップＣ１１乃至Ｃ１５の処理が実行され、乗車意思推定エリアＥ２内でＹ軸方向へかごドア１３に向かっている利用者の足元位置の動き（データ変化）を確認できた場合には（ステップＣ１５のＹｅｓ）、乗車意思推定部２２ｃは、当該利用者の歩行の速さが予め設定された閾値以上であるか否かを判断する（ステップＣ２１）。
【００６７】
なお、利用者の歩行の速さは、当該利用者の足元位置の動きに基づいて求められる。詳しくは、利用者の歩行の速さは、かごドア１３に最も近い動きありのブロックのＹ座標の変化に基づいて、乗車意思推定部２２ｃにより求められる。
【００６８】
例えば、カメラ１２が１秒間に３０コマの画像を連続撮影可能であり、かごドア１３と上記ブロックとのＹ軸方向の距離がミリメートル単位で規定され、利用者の歩行の速さを求めるためのサンプリング期間が３０フレームに設定されている場合を想定する。この場合において、さらに、１コマ目の画像から抽出されたかごドア１３に最も近い動きありのブロックのＹ座標（利用者の足元位置）がｙｍであり、３０コマ目の画像から抽出されたかごドア１３に最も近い動きありのブロックのＹ座標がｙｍ−１であった場合を想定する。この場合、利用者の歩行の速さは、秒速（ｙｍ−ｙｍ−１）［ｍｍ］と求められる。
【００６９】
以上のようにして、利用者の歩行の速さは、予め設定されたサンプリング期間にしたがって乗車意思推定部２２ｃによって求められる。なお、サンプリング期間は１０フレームに設定されることが好ましい。ただし、サンプリング期間は、少なくとも２フレーム以上であれば、任意の値に設定されて構わない。また、サンプリング期間は、利用者の現在の足元位置に応じて変更されても良い。
【００７０】
また、利用者の歩行の速さに関する閾値は、標準的な歩行の速さと同程度の速さ（例えば、秒速８００［ｍｍ］）または標準的な歩行の速さよりも少し遅い速さに設定されることが好ましい。
【００７１】
図１５に戻って、利用者の歩行の速さが上記閾値以上であると判定された場合には（ステップＣ２１のＹｅｓ）、乗車意思推定部２２ｃは、当該利用者に乗車意思ありと判断する（ステップＣ１６）。一方で、利用者の歩行の速さが上記閾値未満であると判定された場合には（ステップＣ２１のＮｏ）、乗車意思推定部２２ｃは、当該利用者に乗車意思なしと判断する（ステップＣ１７）。
【００７２】
以上のように、利用者の足元位置の時間的な変化に加えて、当該利用者の歩行の速さを考慮した乗車意思推定処理が実行されることにより、利用者の乗車意思の有無を多面的に判断することができる。つまり、利用者の乗車意思の有無をより正確に判断することができる。利用者の歩行の速さを考慮した乗車意思推定処理が実行されることにより、具体的には以下のような利点を得ることができる。
【００７３】
例えば、かごドア１３に近づくように動いてはいるものの、歩行の速さが著しく遅い利用者がいた場合、図１１に示した乗車意思推定処理では、乗車意思推定部２２ｃは当該利用者に乗車意思ありと判断するため、当該利用者が乗りかご１１に乗車するまで、かご制御装置３０は戸閉動作を開始することができない。これによれば、既に乗りかご１１に乗車している他の利用者を待たせてしまうという不都合が生じてしまう。
【００７４】
一方で、このような場合であっても、歩行の速さを考慮した乗車意思推定処理によれば、乗車意思推定部２２ｃは、歩行の速さが著しく遅いことを理由に、上記利用者に乗車意思なしと判断するため、かご制御装置３０は当該利用者が乗りかご１１に乗車することを待つことなく戸閉動作を開始することができる。これによれば、既に乗りかご１１に乗車している他の利用者を待たせることなく、乗りかご１１は目的階に出発することができる。
【００７５】
（他の実施形態）  
次に、利用者の歩行の速さを考慮した別の乗車意思推定処理についても説明する。  
一般的に、利用者は、かごドア１３に近づくにつれて乗りかご１１の内壁や乗りかご１１に既に乗車している人にぶつからないようにするために、歩行の速さを徐々に緩める（遅くする）傾向がある。つまり、かごドア１３に近づくにつれて、利用者の歩行の速さは上記閾値以上にならない可能性が高くなる。
【００７６】
また、利用者は必ずしもかごドア１３の正面から乗りかご１１に乗車するわけではなく、かごドア１３付近のカメラ１２の死角から乗りかご１１に乗車する場合もある。このような場合、利用者はかごドア１３に近い位置から歩行し始めるので、利用者の歩行の速さは上記閾値以上でない可能性が高い。
【００７７】
以上のような状況下において、図１５に示す乗車意思推定処理が実行された場合、乗車意思推定部２２ｃは、利用者の歩行の速さが上記閾値未満になった時点で当該利用者に乗車意思なしと判断する。これに伴い、かご制御装置３０は戸閉動作を開始してしまうため、利用者がかごドア１３に挟まれるという不都合が生じかねない。
【００７８】
このような不都合を解消するために、画像処理装置２０は、図１６に示すように、記憶部２１内に閾値保持部２１ａをさらに備え、乗車意思推定部２２ｃはこの閾値保持部２１ａに保持された閾値データを用いて、後述する乗車意思推定処理を実行しても良い。
【００７９】
閾値保持部２１ａは、かごドア１３からのＹ軸方向の距離（Ｙ座標）と、利用者の歩行の速さに関する閾値とが対応づけられた閾値データを保持している。利用者の歩行の速さに関する閾値は、かごドア１３からのＹ軸方向の距離が遠いほど大きくなり、かごドア１３からのＹ軸方向の距離が近くなるにつれて徐々に小さくなる。
【００８０】
乗車意思推定部２２ｃは、閾値保持部２１ａに保持されている閾値データを参照して、利用者の現在の足元位置に応じて上記閾値を段階的に変化させた上で、当該利用者の乗車意思の有無を判断する。
【００８１】
図１７は、他の実施形態において乗車意思推定部２２ｃにより実行される乗車意思推定処理を示すフローチャートである。なお以下では、上述した図１５の乗車意思推定処理と同様な処理については同一の符号を付し、ここではその詳しい説明は省略するものとする。
【００８２】
ステップＣ１１乃至Ｃ１５の処理が実行され、乗車意思推定エリアＥ２内でＹ軸方向へかごドア１３に向かっている利用者の足元位置の動き（データ変化）を確認できた場合には（ステップＣ１５のＹｅｓ）、乗車意思推定部２２ｃは、利用者の現在の足元位置（Ｙ座標）に対応した閾値データを閾値保持部２１ａから取得する（ステップＣ３１）。そして、乗車意思推定部２２ｃは、取得した閾値データにより示される閾値を、利用者の歩行の速さに関する閾値として設定する（ステップＣ３２）。
【００８３】
例えば、図１８に示すように、利用者の現在の足元位置がｙａであった場合、上記閾値はＴＨ１に設定され、利用者の現在の足元位置がｙｂであった場合、上記閾値はＴＨ２（ＴＨ２≦ＴＨ１）に設定される。なお、図１８では、かごドア１３からのＹ軸方向の距離がｙａ，ｙｂの場合にだけ閾値が設定されている場合を例示しているが、閾値は、例えば等距離線毎に設定されていても良い。
【００８４】
その後、乗車意思推定部２２ｃは、利用者の歩行の速さが、ステップＣ３２において設定された閾値以上であるか否かを判断する（ステップＣ３３）。
【００８５】
利用者の歩行の速さが上記閾値以上であると判定された場合には（ステップＣ３３のＹｅｓ）、乗車意思推定部２２ｃは、当該利用者に乗車意思ありと判断する（ステップＣ１６）。一方で、利用者の歩行の速さが上記閾値未満であると判定された場合には（ステップＣ３３のＮｏ）、乗車意思推定部２２ｃは、当該利用者に乗車意思なしと判断する（ステップＣ１７）。
【００８６】
このように、乗車意思推定部２２ｃが、利用者の現在の足元位置に応じて歩行の速さに関する閾値を段階的に変化させる機能をさらに有していることにより、利用者の歩行の速さがかごドア１３に近づくにつれて徐々に緩やかに（遅く）なったとしても、当該利用者の乗車意思を適切に判断することができる。つまり、利用者の乗車意思をかごドア１３の戸開閉動作に適切に反映させることができ、利用者がかごドア１３に挟まれるといった事態を回避することができる。
【００８７】
以上述べた少なくとも１つの実施形態によれば、乗車意思のある利用者を広範囲に正確に検知してドアの開閉制御に反映させることのできるエレベータの乗車検知システムを提供することができる。
【００８８】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８９】
１１…乗りかご、１２…カメラ、１３…かごドア、１４…乗場ドア、１５…乗場、２０…画像処理装置、２１…記憶部、２１ａ…閾値歴保持部、２２…利用者検知部、２２ａ…動き検知部、２２ｂ…位置推定部、２２ｃ…乗車意志推定部、３０…かご制御装置、３１…戸開閉制御部、Ｅ１…利用者位置推定エリア、Ｅ２…乗車意思推定エリア。
【図１】
2017124899.tif 000003
【図２】
2017124899.tif 000004
【図３】
2017124899.tif 000005
【図４】
2017124899.tif 000006
【図５】
2017124899.tif 000007
【図６】
2017124899.tif 000008
【図７】
2017124899.tif 000009
【図８】
2017124899.tif 000010
【図９】
2017124899.tif 000011
【図１０】
2017124899.tif 000012
【図１１】
2017124899.tif 000013
【図１２】
2017124899.tif 000014
【図１３】
2017124899.tif 000015
【図１４】
2017124899.tif 000016
【図１５】
2017124899.tif 000017
【図１６】
2017124899.tif 000018
【図１７】
2017124899.tif 000019
【図１８】
2017124899.tif 000020
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
乗りかごが乗場に到着したときに、当該乗りかごのドア付近から上記乗場の方向に向けて所定の範囲を撮影可能な撮像手段と、
この撮像手段によって撮影された時系列的に連続した複数枚の画像の輝度をブロック単位で比較して人・物の動きを検知する動き検知手段と、
この動き検知手段によって検知された動きありのブロックを上記画像毎に抽出し、当該ブロックにおける上記ドアの中心から上記乗場方向の座標位置を利用者の位置として推定する位置推定手段と、
この位置推定手段によって推定された利用者の位置の時系列変化に基づいて当該利用者のドア方向への移動の速さを算出する速さ算出手段と、
上記位置推定手段によって推定された利用者の位置の時系列変化と、上記速さ算出手段によって算出された利用者のドア方向への移動の速さとに基づいて利用者の乗車意思の有無を推定する乗車意思推定手段と、
この乗車意思推定手段の推定結果に基づいて上記ドアの開閉動作を制御する制御手段と
を具備することを特徴とするエレベータの乗車検知システム。
【請求項２】
上記速さ算出手段は、
所定のサンプリング期間内における上記推定された利用者の位置の時系列変化に基づいて当該利用者のドア方向への移動の速さを算出することを特徴とする請求項１に記載のエレベータの乗車検知システム。
【請求項３】
上記位置推定手段は、
上記動きのありのブロックにおける上記ドアの中心から上記乗場方向の座標位置を人物の足元位置として推定し、
上記乗車意思推定手段は、
上記利用者の足元位置が予め設定されたエリア内で上記ドアに近づいている状態が検知された場合であり、かつ上記利用者のドア方向への移動の速さが予め設定された閾値以上であった場合に乗車意思ありと判定することを特徴とする請求項１に記載のエレベータの乗車検知システム。
【請求項４】
上記閾値は、
標準的な歩行の速さと同程度の速さまたは標準的な歩行の速さよりも少し遅い速さであることを特徴とする請求項３に記載のエレベータの乗車検知システム。
【請求項５】
上記閾値は、
上記位置推定手段によって推定された利用者の現在の足元位置に基づいて段階的に変更されることを特徴とする請求項３に記載のエレベータの乗車検知システム。
【請求項６】
上記閾値は、
上記位置推定手段によって推定された利用者の現在の足元位置が上記ドアから近いほど小さく、上記ドアから遠いほど大きくなるように変更されることを特徴とする請求項５に記載のエレベータの乗車検知システム。
【請求項７】
上記撮像手段は、
上記乗りかごの出入口上部に設置され、
上記ドアと水平の方向をＸ軸、上記ドアの中心から上記乗場の方向をＹ軸、上記乗りかごの高さ方向をＺ軸とした画像を撮影することを特徴とする請求項１記載のエレベータの乗車検知システム。
【手続補正２】
【補正対象書類名】明細書
【補正対象項目名】０００７
【補正方法】変更
【補正の内容】
【０００７】
一実施形態に係るエレベータの乗車検知システムは、撮像手段、動き検知手段、位置推定手段、速さ算出手段、乗車意思推定手段及び制御手段を備えている。上記撮像手段は、乗りかごが乗場に到着したときに、当該乗りかごのドア付近から上記乗場の方向に向けて所定の範囲を撮影可能である。上記動き検知手段は、この撮像手段によって撮影された時系列的に連続した複数枚の画像の輝度をブロック単位で比較して人・物の動きを検知する。上記位置推定手段は、この動き検知手段によって検知された動きありのブロックを上記画像毎に抽出し、当該ブロックにおける上記ドアの中心から上記乗場方向の座標位置を利用者の位置として推定する。上記速さ算出手段は、この位置推定手段によって推定された利用者の位置の時系列変化に基づいて当該利用者のドア方向への移動の速さを算出する。上記乗車意思推定手段は、上記位置推定手段によって推定された利用者の位置の時系列変化と、上記速さ算出手段によって算出された利用者のドア方向への移動の速さとに基づいて利用者の乗車意思の有無を推定する。上記制御手段は、この乗車意思推定手段の推定結果に基づいて上記ドアの開閉動作を制御する。